(57)【要約】【課題】  型枠パネルの外面を湾曲形態において押し込むようにして支持することができる型枠パネル支持体を提供する。【解決手段】  複数の支持部材２が連接固定されて構成され、コンクリート建造物を構築する際に使用する型枠パネルＰの外面を支持する型枠パネル支持体１において、型枠パネルＰの外面に沿って当接する側部と逆側に位置する側部において、支持部材２それぞれの連接固定がその間に引き寄せスペースＳを介して引き寄せ連結具１０を用いて行われ、引き寄せ連結具１０により支持部材２が互いに引き寄せられることで、型枠パネルＰの外面に沿って当接する側部が外方に湾曲して膨らみ形状とされる型枠パネル支持体。【選択図】図１
2016125264.tif 000002
【特許請求の範囲】
【請求項１】
複数の支持部材が連接固定されて構成され、コンクリート建造物を構築する際に使用する型枠パネルの外面を支持する型枠パネル支持体において、
前記型枠パネルの外面に沿って当接する側部と逆側に位置する側部において、前記支持部材それぞれの前記連接固定がその間に引き寄せスペースを介して引き寄せ連結具を用いて行われ、前記引き寄せ連結具により前記支持部材が互いに引き寄せられることで、前記型枠パネルの外面に沿って当接する前記側部が外方に湾曲して膨らみ形状とされることを特徴とする型枠パネル支持体。
【請求項２】
型枠パネル支持体に多数枚の型枠パネルを面状に取り付け、前記型枠パネル支持体の前記型枠パネルの取り付け側を膨らみ形状とすることで前記型枠パネルのコンクリート成形面を膨らみ形状とすることを特徴とする型枠パネルの配置方法。
【発明の詳細な説明】
【技術分野】
【０００１】  この発明は、コンクリート建造物を構築する際に使用する型枠パネル支持体及び型枠パネルの配置方法に関する。
【背景技術】
【０００２】  コンクリート建造物を構築する際には、流入されるコンクリートにより型枠パネルは多大な圧力を受け外方に膨らむ。このような膨らみが生じると構築されたコンクリート建造物表面にも膨らみが生じて設計通りの平面形状とならない問題が発生する。したがって、従来においては、予め型枠パネルを若干内方に湾曲して凹むように設置し、コンクリート圧によって膨らむことでコンクリート建造物表面が平面形状となるようにしていた。
【発明の概要】
【発明が解決しようとする課題】
【０００３】  上記のように、型枠パネルを若干内方に湾曲して凹むように設置するには、型枠パネルの外面を所定の湾曲形態において押し込むようにして支持する必要があり、従来においては多数本のジャッキを介在させる等してその支持を行っていたが、その作業に多大な手間がかかり、また、スムーズな湾曲形態を得るのは難しかった。【０００４】  この発明は上記の事情に鑑みて行ったもので、型枠パネルの外面を湾曲形態において押し込むようにして支持することができる型枠パネル支持体を、さらに、型枠パネルの配置方法を提供することを目的とする。
【課題を解決するための手段】
【０００５】  第１の発明では、複数の支持部材が連接固定されて構成され、コンクリート建造物を構築する際に使用する型枠パネルの外面を支持する型枠パネル支持体において、前記型枠パネルの外面に沿って当接する側部と逆側に位置する側部において、前記支持部材それぞれの前記連接固定がその間に引き寄せスペースを介して引き寄せ連結具を用いて行われ、前記引き寄せ連結具により前記支持部材が互いに引き寄せられることで、前記型枠パネルの外面に沿って当接する前記側部が外方に湾曲して膨らみ形状とされることを特徴とする型枠パネル支持体を提供する。さらに、第２の発明では、型枠パネル支持体に多数枚の型枠パネルを面状に取り付け、前記型枠パネル支持体の前記型枠パネルの取り付け側を膨らみ形状とすることで前記型枠パネルのコンクリート成形面を膨らみ形状とすることを特徴とする型枠パネルの配置方法を提供する。【０００６】  上記それぞれの発明によれば、型枠パネルのコンクリート成形面をスムーズな膨らみ形状とすることが容易に行われる。
【発明の効果】
【０００７】  この発明によれば、型枠パネルを膨らみ状態に湾曲させてコンクリート建造物表面をスムーズな平面形状とすることが容易に行えるようになる。
【図面の簡単な説明】
【０００８】
【図１】  この発明の型枠パネル支持体の側面図
【図２】  この発明の型枠パネル支持体の連接固定構造の斜視図
【図３】  この発明の型枠パネル支持体の連接固定構造の切欠き断面図
【図４】  この発明の型枠パネル支持体の使用説明図
【発明を実施するための形態】
【０００９】  図１はこの発明の型枠パネル支持体の側面図である。１は型枠パネル支持体であり、４個のトラス構造を持つ支持部材２が順次連接固定されて構成されている。型枠パネル支持体１は取り付けられる型枠パネルＰそれぞれの外面に沿って当接する側部Ａにおいては、支持部材２それぞれの枠材４端面が直接に突き合わされてボルト、ナットにより連接固定され、逆側に位置する側部Ｂにおいては、支持部材２それぞれの枠材６はその端面間に引き寄せスペースＳを介して引き寄せ連結具１０のそれぞれを使用することで連接固定が行われている。
【００１０】  図２、図３により側部Ｂにおける連接固定構造を説明する。引き寄せ連結具１０はネジ棒１４とその両端に取り付けられる一対の取り付け片１６とからなる。ネジ棒１４は中央に６角ナット形状の回転操作部１２が溶接により一体に固着されており、その両側のネジ部１４ａ、１４ｂはそのネジが互いに逆方向となるように設けられている。取り付け片１６はネジ棒１４の端部が螺入される６角ナット形状の筒部１７と方形のベース部１８とからなり、筒部１７の基部が溶接によりベース部１８面に一体に固着されている。ベース部１８には両側位置に一対の固定穴２０が設けられるとともに、その間にネジ穴２１を備え、このネジ穴２１と筒部１７内のネジ穴１９とが合致されて固定ネジ２３がその両方にわたって螺入された状態において、上記のように筒部１７は溶接によりベース部１８面に一体に固着されている。このようにして、筒部１７はベース部１８に強固に取り付けられており、筒部１７にネジ棒１４によって大きな引っ張り力が働いてもベース部１８から離脱することがない。
【００１１】  取り付け片１６のそれぞれは、その固定穴２０のそれぞれが固定穴２６のそれぞれに合わされて枠材６の端面にボルト３０、ナット３２により固定され、このようにして互いに相対する枠材６の端面はその間に引き寄せスペースＳを持つ状態において引き寄せ連結具１０を介して行われている。
【００１２】  引き寄せ連結具１０は、ネジ棒１４のネジ部１４ａ、１４ｂのネジ方向を逆としていることで、回転操作部１２により一方方向に回転させた場合にはそのネジ棒１４の両端は取り付け片１６それぞれの筒部１７のネジ穴１９内に入っていき、これにより取り付け片１６が相対的に互いに引き寄せられ、それらに一体の相対する枠材６それぞれの端部が互いに引き寄せられる。
【００１３】  型枠パネル支持体１は、図１に示すように側部Ａと側部Ｂとが互いに平行となる状態に組み立てられ、その側部Ａに沿って型枠パネルＰのそれぞれが取り付けられた状態において、それぞれの引き寄せ連結具１０により上記の操作がなされて側部Ｂにおいて支持部材２が互いに引き寄せられる。その際の回転操作部１２における回転操作は、側部Ａにおいて求められる膨らみ量に対応して予め計算、実験により設定された回転量においてなされる。このように側部Ｂにおいて支持部材２それぞれが互いに引き寄せられることで側部Ｂはその全体長さが若干小さくなり、これによりその両端の支持部材２の端枠材４０それぞれが側部Ａの端部側それぞれを引き寄せることとなる。その結果、側部Ａの全体が型枠パネルＰとともに若干湾曲して膨らむ状態となり、例えば、その全体長さを６ｍとする型枠パネル支持体１において、１ｃｍ程度の膨らみが形成され、これにより型枠パネルＰ面も全体が点線で示すように若千膨らむこととなる（膨らみは誇大に図示されている）。
【００１４】  型枠パネル支持体１の実際の使用について説明する。敷設された多数枚の型枠パネルＰ上に、所定の間隔をおいて複数個の型枠パネル支持体１を側部Ａが沿う状態としで並設配置し、型枠パネル支持体１それぞれに型枠パネルＰのそれぞれを一体に固定する。次に型枠パネル支持体１それぞれの側部Ｂにおいて上記のように引き寄せ連結具１それぞれの回転操作部を操作することで、側部Ａを湾曲して膨らませ、これと一体に型枠パネルＰの全体を膨らみ状態とする。その際、型枠パネルＰの全体は型枠パネル支持体１に沿って湾曲して膨らむことで、その膨らみ形状がスムーズなものとなる。この型枠パネル支持体１と型枠パネルＰとの一体物１００が、型枠パネルＰの膨らみを持つ側が型内面に位置するようにクレーン等によりコンクリート構築物形成のための所定位置に配置され、取り付け構造体に固定される。
【００１５】  図４はコンクリート壁体の構築に際しての上記一体物１００の使用状態を示し、一対の一体物１００が相対するように配置されて型Ｋが構成されている。この型Ｋ内にコンクリートが流入されることでその圧力によって膨らみ状態の型枠パネルＰの全体が型枠パネル支持体１ともに押圧されて、１点鎖線で示すように平面状となり、これにより得られるコンクリート壁体面は平面形状となる。
【符号の説明】
【００１６】１    型枠パネル支持体
２    支持部材
１０  引き寄せ連結具
Ｓ    引き寄せスペース
Ｐ    型枠パネル
【図１】
2016125264.tif 000003
【図２】
2016125264.tif 000004
【図３】
2016125264.tif 000005
【図４】
2016125264.tif 000006